(57)【要約】      （修正有）【課題】入力装置におけるインストール時の複雑さを簡素化する。【解決手段】入力装置のコンフィグレーション設定プログラムをモバイルデバイスにインストールするとともに、入力装置に第１の無線送受信ユニット、第１の制御ユニット及び少なくとも１つの第１の操作ユニットを設ける。第１の無線送受信ユニットは、モバイルデバイスが送信した設定信号を受信する。第１の制御ユニットは、第１の無線送受信ユニット及び第１の操作ユニットに電気的に接続され、第１の操作ユニットの操作設定を制御する。モバイルデバイスは、第２の無線送受信ユニットを含む。モバイルデバイスは、コンフィグレーション設定プログラムに基づいて、第２の無線送受信ユニットを介して設定信号を無線伝送する。入力装置は、第１の無線送受信ユニットを介して設定信号を受信し、入力装置の第１の制御ユニットに設定信号に基づいて操作設定を行わせる。【選択図】図２Ａ
2015035131.tif 000002
【特許請求の範囲】
【請求項１】
対応するコンフィグレーション設定プログラムがモバイルデバイスにインストールされた入力装置であって、
前記モバイルデバイスが送信した設定信号を受信する第１の無線送受信ユニットと、
少なくとも１つの第１の操作ユニットと、
前記第１の無線送受信ユニット及び前記第１の操作ユニットに電気的に接続され、前記第１の操作ユニットの操作設定を制御する第１の制御ユニットと、
を含み、
前記第１の制御ユニットは、前記設定信号に基づいて前記第１の操作ユニットの前記操作設定を設定することを特徴とする入力装置。
【請求項２】
無線伝送インターフェース又は有線伝送インターフェースである伝送インターフェースを更に含むことを特徴とする請求項１に記載の入力装置。
【請求項３】
前記入力装置は、マウス、キーボード又はゲームコントローラであることを特徴とする請求項１に記載の入力装置。
【請求項４】
前記第１の操作ユニットは、ボタン、ホイール、スライドスイッチ又は電子スイッチであることを特徴とする請求項１に記載の入力装置。
【請求項５】
前記第１の制御ユニットに電気的に接続され、前記操作設定を保存するのに用いられる第１の保存ユニットを更に含むことを特徴とする請求項１に記載の入力装置。
【請求項６】
前記操作設定は、ボタン設定又は感度設定であることを特徴とする請求項１に記載の入力装置。
【請求項７】
モバイルデバイスが送信した設定信号を受信する第１の無線送受信ユニットと、少なくとも１つの第１の操作ユニットと、前記第１の無線送受信ユニット及び前記第１の操作ユニットに電気的に接続され、前記第１の操作ユニットの操作設定を制御する第１の制御ユニットとを含む入力装置と、
第２の無線送受信ユニットを含み、前記入力装置に対応するコンフィグレーション設定プログラムがインストールされているモバイルデバイスと、
を含み、
前記モバイルデバイスは、前記コンフィグレーション設定プログラムに基づいて、前記第２の無線送受信ユニットを介して設定信号を無線伝送し、前記入力装置は、前記第１の無線送受信ユニットを介して前記設定信号を受信し、前記入力装置の前記第１の制御ユニットに、前記設定信号に基づいて前記操作設定を行わせることを特徴とする入力装置のコンフィグレーション設定システム。
【請求項８】
前記操作設定は、ボタン設定又は感度設定であることを特徴とする請求項７に記載の入力装置のコンフィグレーション設定システム。
【請求項９】
前記モバイルデバイスは、スマートフォン、携帯情報端末（Ｐｅｒｓｏｎａｌ  Ｄｉｇｉｔａｌ  Ａｓｓｉｓｔａｎｔ、ＰＤＡ）又はタブレットＰＣであることを特徴とする請求項７に記載の入力装置のコンフィグレーション設定システム。
【請求項１０】
前記第１の無線送受信ユニット及び前記第２の無線送受信ユニットは、ブルートゥース（Ｂｌｕｅｔｏｏｔｈ、登録商標）ユニット、Ｚｉｇｂｅｅ（登録商標）ユニット又はＷｉ−Ｆｉ（登録商標）ユニットであることを特徴とする請求項７に記載の入力装置のコンフィグレーション設定システム。
【請求項１１】
前記モバイルデバイスは、前記コンフィグレーション設定プログラムを保存するのに用いられる第２の保存ユニットを更に含むことを特徴とする請求項７に記載の入力装置のコンフィグレーション設定システム。
【請求項１２】
前記モバイルデバイスは、ネットワークを介してリモートデータベースに接続することで、前記入力装置に対応する前記コンフィグレーション設定プログラムを前記第２の保存ユニットにダウンロードすることを特徴とする請求項７に記載の入力装置のコンフィグレーション設定システム。
【発明の詳細な説明】
【技術分野】
【０００１】
本発明は入力装置に関し、特に入力装置及びそのコンフィグレーション設定システムに関する。
【背景技術】
【０００２】
現代社会において、コンピューターは生活と密接不可分の関係にあり、コンピューターの操作に依存しなければ完成させることができない仕事が多い。また、娯楽においても、コンピューターはユーザに対して余暇においてコンピューターゲームをプレイする用途を提供することができる。ユーザがコンピューターゲームをプレイする場合、総じてマウスやキーボードといった入力装置を用いることによってゲームのプレイを制御する必要がある。ユーザがゲーム中にゲームに対応するショートカットコマンド（ｓｈｏｒｔｃｕｔ  ｃｏｍｍａｎｄ）をより便利に且つ素早く操作することができるようにすべく、マルチボタンマウスが開発された。マルチボタンマウスは、マウスの表面に少なくとも４つ以上の多機能ボタンを設けたものである。ユーザは、マルチボタンマウスを使用しようとする前に、通常、メーカによって同梱されたドライバプログラムをインストールする手順を踏む必要がある。インストールプロセスにおいて、ドライバプログラムによって通常、グラフィカルな操作インターフェースが提供されるため、ユーザは、自ら特定のボタンに特定の組み合わせ機能やコマンドを割り当てる設定を行うことができる。
【０００３】
しかしながら、上述したドライバプログラムをインストールする際、ユーザは、すでに起動しているアプリケーションプログラムを終了させ又はファイルを閉じなければならず、使用中のすべてのウィンドウを閉じる必要がある。従って、ユーザに様々な不便をもたらしている。また、インストール手順において、ホスト装置の管理者権限又はウイルス対策ソフトウェアによる誤検出によって、互換性の問題が生じると、スムーズにインストールを行うことができない。同時に、マルチボタンマウスのボタン操作設定を完了した後、もしこのボタン操作設定を完了したマルチボタンマウスを、異なるホスト装置に使用しようとする場合は、上述したものと同じインストール手順を再度行わなければならない。このように、マルチボタンマウスをホスト装置で使用できるようにするには、極めて複雑なインストールプロセスを経なければならない。
【発明の概要】
【発明が解決しようとする課題】
【０００４】
本発明は、入力装置におけるインストール時の複雑さを簡素化するために、入力装置のコンフィグレーション設定プログラムをモバイルデバイスにインストールするとともに、入力装置に無線送信及び無線伝送の能力を有する第１の無線送受信ユニットを設けることによって、モバイルデバイスが入力装置に対して操作設定を行うことができるようにした、入力装置及びそのコンフィグレーション設定システムを提供することを課題とする。
【課題を解決するための手段】
【０００５】
本発明に係る入力装置は、対応するコンフィグレーション設定プログラムがモバイルデバイスにインストールされた入力装置である。入力装置は、第１の無線送受信ユニット、第１の制御ユニット及び少なくとも１つの第１の操作ユニットを含む。第１の無線送受信ユニットは、モバイルデバイスが送信した設定信号を受信する。第１の制御ユニットは、第１の無線送受信ユニット及び第１の操作ユニットに電気的に接続され、第１の操作ユニットの操作設定を制御する。第１の制御ユニットは、設定信号に基づいて第１の操作ユニットの操作設定を設定する。
【０００６】
本発明に係る入力装置のコンフィグレーション設定システムは、入力装置とモバイルデバイスを含む。入力装置は、第１の無線送受信ユニット、第１の制御ユニット及び少なくとも１つの第１の操作ユニットを含む。第１の無線送受信ユニットは、モバイルデバイスが送信した設定信号を受信する。第１の制御ユニットは、第１の無線送受信ユニット及び第１の操作ユニットに電気的に接続され、第１の操作ユニットの操作設定を制御する。モバイルデバイスには、入力装置に対応するコンフィグレーション設定プログラムがインストールされている。モバイルデバイスは、第２の無線送受信ユニットを含む。モバイルデバイスは、コンフィグレーション設定プログラムに基づいて、第２の無線送受信ユニットを介して設定信号を無線伝送する。入力装置は、第１の無線送受信ユニットを介して設定信号を受信し、入力装置の第１の制御ユニットに設定信号に基づいて操作設定を行わせる。
【発明の効果】
【０００７】
このように、本発明に係る入力装置及びそのコンフィグレーション設定システムでは、モバイルデバイスに入力装置に対応するコンフィグレーション設定プログラムをインストールすることと、入力装置に第１の無線送受信ユニットを設けることとによって、モバイルデバイスが、インストールされたコンフィグレーション設定プログラムによって、入力装置に対して操作設定を直接行うことができ、ホスト装置を介して入力装置の関連操作設定を行う必要がない。
【図面の簡単な説明】
【０００８】
【図１Ａ】本発明の実施例に係る入力装置を模式的に示した図である。
【図１Ｂ】本発明の実施例に係る入力装置を示したブロック図である。
【図２Ａ】本発明の実施例に係る入力装置のコンフィグレーション設定システムを模式的に示した図である。
【図２Ｂ】本発明の実施例に係るモバイルデバイスを示したブロック図である。
【図３Ａ】本発明の実施例に係るモバイルデバイスにおける入力装置に対する設定インターフェースである。
【図３Ｂ】本発明の実施例に係るモバイルデバイスにおけるボタン設定インターフェースである。
【図３Ｃ】本発明の実施例に係るモバイルデバイスにおける感度設定インターフェースである。
【発明を実施するための形態】
【０００９】
本発明の特徴及び技術内容を更に理解することができるように、以下、本発明について図面を参照しながら詳細に説明する。但し、これらの説明及び図面は本発明を説明するために用いるものに過ぎず、本発明の権利範囲を何ら制限するものではない。
【実施例】
【００１０】
＜入力装置及びそのコンフィグレーション設定システムの実施例＞
図１Ａは、本発明の実施例に係る入力装置を模式的に示した図である。図１Ｂは、本発明の実施例に係る入力装置を示したブロック図である。図１Ａ及び図１Ｂに示すように、入力装置１は、第１の無線送受信ユニット１０、第１の制御ユニット１１、少なくとも１つの第１の操作ユニット１２、伝送インターフェース１３及び第１の保存ユニット１４を含む。第１の操作ユニット１２は、左ボタン１２１、右ボタン１２２、ホイール１２３、第４のボタン１２４及び第５のボタン１２５を含む。本実施例において、入力装置１は、マウスであってもよく、キーボード、ゲームコントローラなどであってもよい。本実施例ではマウスを例に説明するが、本実施例は入力装置の態様を制限するものではない。図１Ｂに示すように、第１の制御ユニット１１は、第１の無線送受信ユニット１０、第１の操作ユニット１２、伝送インターフェース１３及び第１の保存ユニット１４のそれぞれに電気的に接続される。第１の操作ユニット１２は、ボタン、ホイール、スライドスイッチ又は電子スイッチであってもよい。第１の無線送受信ユニット１０は、ブルートゥース（Ｂｌｕｅｔｏｏｔｈ、登録商標）ユニット、Ｚｉｇｂｅｅ（登録商標）ユニット又はＷｉ−Ｆｉ（登録商標）ユニットであってもよい。伝送インターフェース１３は、無線伝送インターフェース又は有線伝送インターフェースであってもよい。即ち、入力装置１は、ホスト装置と無線方式又は有線方式によって接続されることができる。
【００１１】
図２Ａは、本発明の実施例に係る入力装置のコンフィグレーション設定システムを模式的に示した図である。図２Ｂは、本発明の実施例に係るモバイルデバイスを示したブロック図である。図２Ａに示すように、入力装置のコンフィグレーション設定システムは、入力装置１及びモバイルデバイス２を含む。図２Ｂに示すように、モバイルデバイス２は、第２の無線送受信ユニット２０、第２の制御ユニット２１、第２の操作ユニット２２、表示ユニット２３及び第２の保存ユニット２４を含む。本実施例において、モバイルデバイス２は、携帯電話であってもよく、携帯情報端末（Ｐｅｒｓｏｎａｌ  Ｄｉｇｉｔａｌ  Ａｓｓｉｓｔａｎｔ、ＰＤＡ）又はタブレットＰＣであってもよい。但し、本実施例はモバイルデバイスの態様を制限するものではない。図２Ｂに示すように、第２の制御ユニット２１は、第２の無線送受信ユニット２０、第２の操作ユニット２２、表示ユニット２３及び第２の保存ユニット２４のそれぞれに電気的に接続される。第２の無線送受信ユニット２０は、第１の無線送受信ユニット１０と同様、ブルートゥース（Ｂｌｕｅｔｏｏｔｈ、登録商標）ユニット、Ｚｉｇｂｅｅ（登録商標）ユニット又はＷｉ−Ｆｉ（登録商標）ユニットであってもよい。表示ユニット２３は、タッチ式ディスプレイパネルであってもよい。第２の保存ユニット２４は、モバイルデバイス２に内蔵されたメモリ又はモバイルデバイス２の外付けのメモリカードであってもよい。
【００１２】
図１Ａ、図１Ｂ、図２Ａ及び図２Ｂにおいて、モバイルデバイス２の第２の保存ユニット２４には、入力装置１に対応するコンフィグレーション設定プログラムが保存されている。第２の制御ユニット２１は、第２の保存ユニット２４に保存されたコンフィグレーション設定プログラムに基づいて、入力装置１に対応する設定インターフェースを表示するよう表示ユニット２３を制御することができる。これにより、ユーザは、設定インターフェースを操作することによって、入力装置１の操作設定を行うことができる。ここで、操作設定は、入力装置１に関するボタン設定又は感度設定である。更に言えば、ユーザが設定インターフェースを介して入力装置１の操作設定を行うと、モバイルデバイス２が、それに対応して第２の無線送受信ユニット２０を介して設定信号を送信する。次いで、入力装置１が第１の無線送受信ユニット１０を介して前記設定信号を受信するとともに、設定信号を第１の制御ユニット１１に伝送する。これにより、第１の制御ユニット１１は、前記設定信号に基づいて、入力装置１の操作設定を対応して変更するとともに、この操作設定を入力装置１の第１の保存ユニット１４に保存することで、入力装置１の操作設定を完了することができる。従って、ホスト装置を経由することなく、入力装置１の操作設定を完了することが可能である。
【００１３】
また、モバイルデバイス２に入力装置１のコンフィグレーション設定プログラムがインストールされている場合、前記モバイルデバイス２の第２の制御ユニット２１は、第２の無線送受信ユニット２０を利用して自動的にネットワークを介してリモートデータベース（ｒｅｍｏｔｅ ｄａｔａｂａｓｅ）に接続することで、入力装置１に対応する設定情報を第２の保存ユニット２４にダウンロードすることができる。当然ながら、入力装置１に対応するコンフィグレーション設定プログラムがインストールされているモバイルデバイス２では、ユーザが第２の操作ユニット２２又はタッチ機能を有する表示ユニット２３を操作することによって、第２の制御ユニット２１に操作コマンドを選択的に伝送するとともに、第２の無線送受信ユニット２０がネットワークを介してリモートデータベースに接続することで、設定情報のダウンロードを開始することもできる。このように、モバイルデバイス２は、入力装置１のコンフィグレーション設定プログラムを随時更新することができ、更には、ホスト装置に入力装置のコンフィグレーション設定プログラムをインストールした際に生じるウイルス対策ソフトウェアによる誤検出又は管理者権限の不足といった互換性の問題を回避することが可能である。
【００１４】
更に言えば、入力装置１がキーボード又はその他のマルチボタンマウス（又はゲームコントローラ）であり、モバイルデバイス２の第２の保存ユニット２４に、対応するコンフィグレーション設定プログラムがインストールされていない場合でも、ユーザは、第２の操作ユニット２２又はタッチ機能を有する表示ユニット２３を操作することによって、第２の無線送受信ユニット２０がネットワークを介してリモートデータベースに接続するようにすることで、対応するコンフィグレーション設定プログラムのダウンロードを開始することもできる。このように、入力装置１が異なる態様の入力装置である場合でも、モバイルデバイス２は、リモートデータベースを介してコンフィグレーション設定プログラムのダウンロードを行うことができる。これにより、モバイルデバイス２は、異なる態様の入力装置に対して操作設定を行うことが可能となる。
【００１５】
図３Ａは、本発明の実施例に係るモバイルデバイスにおける入力装置に対する設定インターフェースである。図３Ｂ、本発明の実施例に係るモバイルデバイスにおけるボタン設定インターフェースである。図３Ｃは、本発明の実施例に係るモバイルデバイスにおける感度設定インターフェースである。図３Ａ、図３Ｂ及び図３Ｃにおいて、モバイルデバイス２の第２の制御ユニット２１は、第２の保存ユニット２４に保存されたコンフィグレーション設定プログラムに基づいて、前記設定インターフェースを表示するよう表示ユニット２３を制御する。図３Ａに示すように、設定インターフェースにはボタン設定と感度設定などのグラフィカルなボタンが表示される。但し、本実施例は、設定インターフェースに表示されるグラフィカルなボタンの種類を制限するものではない。即ち、設定インターフェースには、例えばマウスランプ表示方式、マクロ編集などの特性設定グラフィカルなボタンが更に表示されてもよい。ユーザは、「ボタン設定」というグラフィカルなボタンを押すことによって、自らコンフィグレーションを定めることが可能である。図３Ｂに示すように、表示ユニット２３は、ボタン設定インターフェースを表示する。ボタン設定インターフェースには、入力装置１に対応する左ボタン１２１、右ボタン１２２、ホイール１２３、第４のボタン１２４及び第５のボタン１２５が表示されている。そして、左ボタン１２１、右ボタン１２２、ホイール１２３、第４のボタン１２４及び第５のボタン１２５の右側には、それぞれプルダウン式メニュー（ｐｕｌｌ ｄｏｗｎ ｍｅｎｕ）が設けられている。これにより、ユーザは、その要求に基づいて、ボタン機能の設定を行うことができる。プルダウン式メニューは、例えば速度切替、ソフトウェアキーボード、ダブルクリックなどである（図示せず）。但し、本実施例は、プルダウン式メニューの内容を制限するものではない。図３Ｃに示すように、ユーザが「感度設定」というグラフィカルなボタンを押すと、ユーザが入力装置１の感度を設定できるように、表示ユニット２３が感度設定インターフェースを表示する。例えば、マウスカーソルの解像度を設定する。本実施例において、感度設定インターフェースとしては、４段階の速度、即ち第１段階速度、第２段階速度、第３段階速度及び第４段階速度のみ表示される。但し、本実施例は、入力装置１の使用段階数を制限するものではない。
【００１６】
＜実施例の機能、効果＞
本発明に係る入力装置及びそのコンフィグレーション設定システムでは、入力装置に対応するコンフィグレーション設定プログラムがインストールされたモバイルデバイスを利用することで、入力装置に対して操作設定を直接行うことができ、更にはネットワークを介して対応する入力装置のコンフィグレーション設定プログラムをダウンロード又は更新することができる。これにより、ユーザはモバイルデバイスを介して入力装置に対して操作設定を行うことができるため、ユーザによるホスト装置における入力装置のドライバプログラムインストールの際の複雑さを簡素化し、ホスト装置とコンフィグレーション設定プログラムとの間の互換性の問題を回避することが可能となる。
【００１７】
以上は、本発明の実施例に過ぎず、本発明の権利範囲を制限するものではない。
【符号の説明】
【００１８】
１  入力装置
１０  第１の無線送受信ユニット
１１  第１の制御ユニット
１２  第１の操作ユニット
１３  伝送インターフェース
１４  第１の保存ユニット
２  モバイルデバイス
２０  第２の無線送受信ユニット
２１  第２の制御ユニット
２２  第２の操作ユニット
２３  表示ユニット
２４  第２の保存ユニット
１２１  左ボタン
１２２  右ボタン
１２３  ホイール
１２４  第４のボタン
１２５  第５のボタン
【図１Ａ】
2015035131.tif 000003
【図１Ｂ】
2015035131.tif 000004
【図２Ａ】
2015035131.tif 000005
【図２Ｂ】
2015035131.tif 000006
【図３Ａ】
2015035131.tif 000007
【図３Ｂ】
2015035131.tif 000008
【図３Ｃ】
2015035131.tif 000009
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
対応するコンフィグレーション設定プログラムがモバイルデバイスにインストールされた入力装置であって、
前記モバイルデバイスが送信した設定信号を受信する第１の無線送受信ユニットと、
少なくとも１つの第１の操作ユニットと、
前記第１の無線送受信ユニット及び前記第１の操作ユニットに電気的に接続され、前記第１の操作ユニットの操作設定を制御する第１の制御ユニットと、
を含み、
前記第１の制御ユニットは、前記設定信号に基づいて前記第１の操作ユニットの前記操作設定を設定することを特徴とする入力装置。
【請求項２】
無線伝送インターフェース又は有線伝送インターフェースである伝送インターフェースを更に含むことを特徴とする請求項１に記載の入力装置。
【請求項３】
前記入力装置は、マウス、キーボード又はゲームコントローラであることを特徴とする請求項１に記載の入力装置。
【請求項４】
前記第１の操作ユニットは、ボタン、ホイール、スライドスイッチ又は電子スイッチであることを特徴とする請求項１に記載の入力装置。
【請求項５】
前記第１の制御ユニットに電気的に接続され、前記操作設定を保存するのに用いられる第１の保存ユニットを更に含むことを特徴とする請求項１に記載の入力装置。
【請求項６】
前記操作設定は、ボタン設定又は感度設定であることを特徴とする請求項１に記載の入力装置。
【請求項７】
モバイルデバイスが送信した設定信号を受信する第１の無線送受信ユニットと、少なくとも１つの第１の操作ユニットと、前記第１の無線送受信ユニット及び前記第１の操作ユニットに電気的に接続され、前記第１の操作ユニットの操作設定を制御する第１の制御ユニットとを含む入力装置と、
第２の無線送受信ユニットを含み、前記入力装置に対応するコンフィグレーション設定プログラムがインストールされているモバイルデバイスと、
を含み、
前記モバイルデバイスは、前記コンフィグレーション設定プログラムに基づいて、前記第２の無線送受信ユニットを介して設定信号を無線伝送し、前記入力装置は、前記第１の無線送受信ユニットを介して前記設定信号を受信し、前記入力装置の前記第１の制御ユニットに、前記設定信号に基づいて前記操作設定を行わせることを特徴とする入力装置のコンフィグレーション設定システム。
【請求項８】
前記操作設定は、ボタン設定又は感度設定であることを特徴とする請求項７に記載の入力装置のコンフィグレーション設定システム。
【請求項９】
前記モバイルデバイスは、スマートフォン、携帯情報端末（Ｐｅｒｓｏｎａｌ  Ｄｉｇｉｔａｌ  Ａｓｓｉｓｔａｎｔ、ＰＤＡ）又はタブレットＰＣであることを特徴とする請求項７に記載の入力装置のコンフィグレーション設定システム。
【請求項１０】
前記第１の無線送受信ユニット及び前記第２の無線送受信ユニットは、ブルートゥース（Ｂｌｕｅｔｏｏｔｈ、登録商標）ユニット、Ｚｉｇｂｅｅ（登録商標）ユニット又はＷｉ−Ｆｉ（登録商標）ユニットであることを特徴とする請求項７に記載の入力装置のコンフィグレーション設定システム。
【請求項１１】
前記モバイルデバイスは、前記コンフィグレーション設定プログラムを保存するのに用いられる第２の保存ユニットを更に含むことを特徴とする請求項７に記載の入力装置のコンフィグレーション設定システム。
【請求項１２】
前記モバイルデバイスは、ネットワークを介してリモートデータベースに接続することで、前記入力装置に対応する前記コンフィグレーション設定プログラムを前記第２の保存ユニットにダウンロードすることを特徴とする請求項１１に記載の入力装置のコンフィグレーション設定システム。